(57)【特許請求の範囲】
【請求項１】
建物のスラブ（Ｓ）の端部にカーテンウォールユニットの垂直部材（１０）を結合させるカーテンウォール固定用可変型ファスナーに関し、
スラブ（Ｓ）の端部に固定される第１ブラケット（１００）と；カーテンウォールユニットの垂直部材（１０）に一側が結合され、前記第１ブラケット（１００）に他側が結合されて、カーテンウォールユニットの荷重をスラブ（Ｓ）に伝達する第２ブラケット（２００）と；を含み、
前記第１ブラケット（１００）は、スラブ（Ｓ）の端部に固定されるベース部（１１０）と；前記ベース部（１１０）の前方端部に前記ベース部（１１０）の上部面より高く形成された支持部（１２０）と；で構成され、
前記第２ブラケット（２００）は、カーテンウォールユニットの垂直部材（１０）に固定される固定部（２１０）と；前記固定部（２１０）の前記第１ブラケット（１００）側の一側端部に垂直方向に結合固定された高さ調節ネジ棒（２２０）と；一側は前記高さ調節ネジ棒（２２０）に水平方向への回動及び昇降スライディング可能に結合され、他側は前記支持部（１２０）の上部に装着される係止部（２３０）と；前記高さ調節ネジ棒（２２０）にネジ締結されて、前記係止部（２３０）の高さを調節する高さ調節ナット（２４０）と；で構成されることを特徴とするカーテンウォール固定用可変型ファスナー。
【請求項２】
建物のスラブ（Ｓ）の端部にカーテンウォールユニットの垂直部材（１０）を結合させるカーテンウォール固定用可変型ファスナーに関し、
スラブ（Ｓ）の端部に固定される第１ブラケット（１００）と；
カーテンウォールユニットの垂直部材（１０）に一側が結合され、前記第１ブラケット（１００）に他側が結合されて、カーテンウォールユニットの荷重をスラブ（Ｓ）に伝達する第２ブラケット（２００）と；を含み、
前記第１ブラケット（１００）は、スラブ（Ｓ）の端部に固定されるベース部（１１０）と；及び前記ベース部（１１０）の前方端部に前記ベース部（１１０）の上部面より高く形成された支持部（１２０）と；で構成され、
前記第２ブラケット（２００）は、カーテンウォールユニットの垂直部材（１０）に固定される固定部（２１０）と；前記固定部（２１０）の前記第１ブラケット（１００）側の一側端部に沿って回動可能に垂直方向に結合された高さ調節ネジ棒（２２０）と；一側が前記高さ調節ネジ棒（２２０）にネジ締結され、他側は前記支持部（１２０）の上部に装着される係止部（２３０）と；前記高さ調節ネジ棒（２２０）に固定され、前記高さ調節ネジ棒（２２０）と一緒に一体に回動して、前記係止部（２３０）の高さを調節する高さ調節ナット（２４０）と；で構成されることを特徴とするカーテンウォール固定用可変型ファスナー。
【請求項３】
前記第１ブラケット（１００）の支持部（１２０）は、矩形断面の棒状で、前記ベース部（１１０）の上部面と段差を有することを特徴とする請求項１に記載のカーテンウォール固定用可変型ファスナー。
【請求項４】
前記第１ブラケット（１００）の支持部（１２０）は、円形断面の棒状で、装着部材（１２１）によって前記ベース部（１１０）の上部面から離間されるように設置されることを特徴とする請求項１に記載のカーテンウォール固定用可変型ファスナー。
【請求項５】
前記第２ブラケット（２００）は、
前記固定部（２１０）の一側端部の上下端でそれぞれ前記第１ブラケット（１００）側に向けて突出した部位に前記高さ調節ネジ棒（２２０）の上下端が結合され、
前記係止部（２３０）の他側下端部には前記支持部（１２０）を収容するように前記支持部（１２０）の断面形態に対応する形態の支持部収容溝（２３１）が備えられることを特徴とする請求項３または請求項４に記載のカーテンウォール固定用可変型ファスナー。
【請求項６】
前記第１ブラケット（１００）の支持部（１２０）は、矩形断面の棒状で、前記ベース部（１１０）の上部面と段差を有することを特徴とする請求項２に記載のカーテンウォール固定用可変型ファスナー。
【請求項７】
前記第１ブラケット（１００）の支持部（１２０）は、円形断面の棒状で、装着部材（１２１）によって前記ベース部（１１０）の上部面から離間されるように設置されることを特徴とする請求項２に記載のカーテンウォール固定用可変型ファスナー。
【請求項８】
前記第２ブラケット（２００）は、
前記固定部（２１０）の一側端部の上下端にはそれぞれ前記高さ調節ネジ棒（２２０）が貫通するネジ棒支持部（２１１）が備えられ、
前記高さ調節ナット（２４０）はネジ棒支持部（２１１）を貫通した前記高さ調節ネジ棒（２２０）の上端部に締結固定され、
前記係止部（２３０）の他側下端部には前記支持部（１２０）を収容するように前記支持部（１２０）の断面形態に対応する形態の支持部収容溝（２３１）が備えられることを特徴とする請求項６または請求項７に記載のカーテンウォール固定用可変型ファスナー。
【請求項９】
前記第１ブラケット（１００）のベース部（１１０）にはスラブ（Ｓ）の端部に向かって延設されたアンカー用長孔（１１１）が形成されることを特徴とする請求項１または請求項２に記載のカーテンウォール固定用可変型ファスナー。
【請求項１０】
前記支持部（１２０）には、前記支持部（１２０）に装着されて位置が決められた前記係止部（２３０）の左右移動を制限するストッパ（１２２）がさらに備えられることを特徴とする請求項１または請求項２に記載のカーテンウォール固定用可変型ファスナー。
【発明の詳細な説明】
【技術分野】
【０００１】
本発明は建物のスラブの端部にカーテンウォールユニットの垂直部材を結合させるカーテンウォール固定用可変型ファスナーに関し、前後左右及び上下方向に位置調節ができるとともに、左右回転及び上下回転ができることを特徴とする。
【背景技術】
【０００２】
カーテンウォールユニットを建物構造体に固定して支持する構造の具体的な実施例が図１３、図１４に示されている。図１３はカーテンウォールユニットに作用する荷重を第３ファスナー５、第２ファスナー４、第１ファスナー３、Ｃチァンネル２を通じてスラブＳに伝達させて支持する方式であり、図１４はカーテンウォールユニットに作用する荷重を第２ファスナー４、第１ファスナー３、Ｃチァンネル２を通じてスラブＳに伝達させて支持する方式である。
【０００３】
このような従来技術における図１３の場合は、スラブＳの縁にＣチァンネル２を埋め立てて定着し、前後アンカー用長孔３ａが形成された第１ファスナー３をＣチァンネル２に前後左右位置調節をした後、アンカーボルト３ｂで組み立てて固定した後、カーテンウォールユニットの垂直部材１に工場で組み立てられたレベルボルト５ａが設置された第３ファスナー５を現場で第２ファスナー４の溝４ａにスライディングして連結し、第３ファスナー５に連結された第２ファスナー４を第１ファスナー３に載せて固定し、最終的にレベルボルト５ａのナットを回転させて上下位置を調節した後、動かないように固定する方式で施工する方式である。
【０００４】
このような施工過程で、建物構造体の施工及び変形による誤差を吸収するために、カーテンウォールユニットを設置する時、前後左右及び上下方向に調節しながら合わせて整列する。左右方向の位置調節は、Ｃチァンネル２の溝２ａ内にあるアンカーボルト３ｂと第１ファスナー３を溝２ａに沿って左右に移動させながら合わせ、前後方向の位置調節は、第１ファスナー３の前後アンカー用長孔３ａ内にあるＣチァンネル２の溝２ａに挿入されたアンカーボルト３ｂを中心に第１ファスナー３を前後に移動させながら合わせ、上下方向の位置調節は、第３ファスナー５に設置されたレベルボルト５ａのナットを回転させながら合わせる。
【０００５】
このような従来のカーテンウォール支持方式（図１３）は次のような問題点を有する。
【０００６】
第一、前後左右及び上下方向の位置調節は可能であるが、左右及び上下回転は不可能で、平面または断面が曲線である場合、その曲線に沿って別途にファスナーシステムをデザインして作らなければならないという問題点がある。
【０００７】
第二、レベルボルト５ａは固定荷重の伝達と上下方向の位置調節機能のみを有し、風荷重を伝達するために、別途のスライディング溝４ａを有するアルミニウムファスナー４が必要である。即ち、固定荷重の伝達機能、上下方向の位置調節機能及びファスナーの間の風荷重の伝達機能が分離されているので、非経済的である。
【０００８】
第三、風荷重を伝達するための別途の溝４ａとその溝に挿入される雄ネジ５ｂはスチールでは製作が困難で、自在に押圧可能なアルミニウムで製作しなければならないので、ファスナーの製作費用が上昇する問題点がある。
【０００９】
このような従来技術における図１４の場合は、スラブＳの縁にＣチァンネル２を埋め立てて定着し、前後アンカー用長孔３ａが形成された第１ファスナー３をＣチァンネル２に前後及び左右位置を調節した後、アンカーボルト３ｂで組み立てて固定した後、カーテンウォールユニットの垂直部材１に工場で組み立てられた第２ファスナー４を第１ファスナー３に連結し、最終的に垂直長孔３ｂに上下位置を調節した後、動かないように固定（溶接）する方式で施工する方式である。
【００１０】
このような施工過程で、建物構造体の施工及び変形による誤差をカーテンウォールユニットを設置する時、前後左右及び上下方向に調節しながら合わせて整列する。左右方向の位置調節は、Ｃチァンネル２の溝２ａ内でアンカーボルト３ｂと第１ファスナー３を左右に移動させながら合わせ、前後方向の位置調節は、第１ファスナー３の前後アンカー用長孔３ａ内にあるＣチァンネル２の溝２ａに挿入されたアンカーボルト３ｂを中心に第１ファスナー３を前後に移動させながら合わせ、上下方向の位置は、第１ファスナー３に設置された垂直長孔３ｃ内に挿入された第１ファスナーと第２ファスナー連結ボルトを垂直長孔３ｃ内で上下に移動させて合わせる。
【００１１】
このような従来のカーテンウォール支持方式（図１４）は次のような問題点がある。
【００１２】
第一、前後左右及び上下方向の位置調節は可能であるが、左右及び上下回転は不可能で、平面または断面が曲線である場合、その曲線に沿って別途にファスナーシステムをデザインして製作しなければならないという問題点がある。
【００１３】
第二、第１ファスナーの垂直翼に垂直長孔３ｃを設置するので、第１ファスナーと第２ファスナーの連結ボルトの高さがスラブの底面から非常に高い。従って、風荷重に対して、連結部分と支点の間の偏差も非常に大きくなって、即ち、曲げモーメントが大きくなって、第１ファスナーの大きさや厚さが増大され、またアンカーボルト３ｂ、Ｃチァンネル２も大きさや厚さが増大されて、非経済的である。
【００１４】
第三、ユニットを吊るした状態で垂直長孔３ｃのボルトを中心に上下位置を調節して、そのボルトを締め付けた後、溶接で完全に固定するので、施工が難しく、溶接による火事の危険及び品質が低下する虞があるという問題点がある。
【００１５】
第四、垂直長孔３ｃの設置によって、第１ファスナーの翼の高さが高くなって、底が低い現場に適用することが不可能であるという問題点がある。
【発明の概要】
【発明が解決しようとする課題】
【００１６】
上記問題点を解決するために創作された本発明の技術的課題は次の通りである。
【００１７】
第一、前後左右及び上下方向の位置調節はもちろん、左右回転または上下回転が個別的または同時に可能な新しい概念のファスナーを提供して、多様な曲線形態のカーテンウォールユニットにも汎用的に使用可能であることを本発明の目的とする。
【００１８】
第二、上下方向に容易に位置調節をすると同時に、その機能をする部分が固定荷重及び風荷重に対して、構造的にも同時に使われることができるように、即ち、一つの接合部が２種類の機能（上下位置調節、固定荷重及び風荷重の伝達）を同時にして、経済性を高めることを本発明の目的とする。
【００１９】
第三、ファスナーの間の上下位置調節と風荷重の伝達のために、容易に押圧できるアルミニウム材質で作られたスライディング溝（図１３の４ａ）なしに、スチール材料で第二で言及した機能と効果を得ることができるようにして、製作コストを低減することを本発明の目的とする。
【００２０】
第四、カーテンウォールからスラブに伝達される風荷重の流れで、連結部分の間の偏差を最小化して、最少の部材で最大の構造的効果を得ることができる、即ち、部材の安全性と部材の軽量化を同時に満足させて施工性を向上させ、材料費を低減することができる新しい概念のファスナーを提供することを本発明のまた他の目的とする。
【００２１】
第五、カーテンウォールユニットまたは垂直部材に第２ファスナーを工場で予め定着して、施工現場では、第１ファスナーに単純にかけて、前後左右及び上下方向の位置を調節する方法及び溶接ではない単純なボルトの組み立てでカーテンウォールユニットをスラブに堅固に固定させることができる新しい概念のファスナーを提供して、現場工程を単純化させ、品質を向上させることを本発明のまた他の目的とする。
【００２２】
第六、ファスナーを構成する部材の高さを低めて、床仕上げ面が低い現場やファンコイルボックスのない現場でも容易に使用できる新しい概念のファスナーを提供することを本発明のまた他の目的とする。
【課題を解決するための手段】
【００２３】
上記目的を達成するために創作された本発明は、建物のスラブＳの端部にカーテンウォールユニットの垂直部材１０を結合させるカーテンウォール固定用可変型ファスナーに関し、スラブＳの端部に固定される第１ブラケット１００；及びカーテンウォールユニットの垂直部材１０に一側が結合され、上記第１ブラケット１００に他側が結合されて、カーテンウォールユニットの荷重をスラブＳに伝達する第２ブラケット２００；を含み、上記第１ブラケット１００はスラブＳの端部に固定される平板状のベース部１１０；及び上記ベース部１１０の前方端部に上記ベース部１１０の上部面より高く形成された支持部１２０で構成され、上記第２ブラケット２００はカーテンウォールユニットの垂直部材１０に固定される平板状の固定部２１０；上記固定部２１０の上記第１ブラケット１００側の一側端部に垂直方向に結合固定された高さ調節ネジ棒２２０；一側は上記高さ調節ネジ棒２２０に水平方向への回動及び昇降スライディングが可能に結合され、他側は上記支持部１２０の上部に装着される係止部２３０；及び上記高さ調節ネジ棒２２０に締結されて、上記係止部２３０の高さを調節する高さ調節ナット２４０；で構成される。
【００２４】
また、本発明の第２ブラケット２００はカーテンウォールユニットの垂直部材１０に固定される平板状の固定部２１０；上記固定部２１０の上記第１ブラケット１００側の一側端部に沿って回動可能に垂直方向に結合された高さ調節ネジ棒２２０；一側が上記高さ調節ネジ棒２２０に締結され、他側は上記支持部１２０の上部に装着される係止部２３０；及び上記高さ調節ネジ棒２２０に締結固定され、上記高さ調節ネジ棒２２０とともに一体に回動して上記係止部２３０の高さを調節する高さ調節ナット２４０；で構成されてもよい。
【発明の効果】
【００２５】
上記構成の本発明による技術的効果は次の通りである。
【００２６】
第一、前後左右及び上下方向への位置調節はもちろん、左右回転及び上下回転が可能な新しい概念のファスナーを提供して、多様な曲線形態のカーテンウォールユニットにも汎用的に使用可能である。言い換えれば、前後方向の位置調節は、アンカー用長孔１１１を利用して第１ブラケット１００の固定位置を調節して行われ、左右方向の位置調節は、アンカーバー２にアンカーボルト３０で結合されて、スラブＳの端部に固定される第１ブラケット１００の位置調節で行われ、上下方向の位置調節は、高さ調節ネジ棒２２０と高さ調節ナット２４０を利用して行われ、左右回転は、固定部２１０に回動可能に結合される係止部２３０によって行われ、上下回転は、円形断面の支持部１２０とこれに対応する支持部収容溝２３１を備えた係止部２３０によって行われる。
【００２７】
従って、曲線平面のスラブの端部にも容易に適用することができ、直線形態ではなく、曲線形態に曲げられたカーテンウォールユニットにも容易に適用することができるという長所がある。
【００２８】
第二、上下方向への位置調節が容易になるとともに、その機能をする部分が固定荷重及び風荷重に対して構造的にも使われることができ、一つの接合部が２種類の機能を同時に行って経済性を向上させることができる。
【００２９】
言い換えれば、図１３に示すように、従来には、高さ調節と固定荷重伝達のためのレベルボルト５ａと風荷重伝達のためのスライディング溝４ａが分離されていて、非経済的であったが、本発明は、図３に示すように、高さ調節ネジ棒２２０は固定部２１０から伝達された固定荷重を高さ調節ナット２４０を通じて係止部２３０の一側に伝達し、固定部２１０から伝達された風荷重も高さ調節ネジ棒２２０と高さ調節ナット２４０を通じて係止部２３０の一側に伝達されるだけでなく、高さ調節ネジ棒２２０に連結された高さ調節ナット２４０の回転で、固定部２１０が上下に移動されて、カーテンウォールユニットの垂直部材１０の高さ調節が可能である。また、図６の場合にも、高さ調節ネジ棒２２０と高さ調節ナット２４０を利用して固定部２１０の高さ調節はもちろん、固定部２１０にかかる固定荷重と風荷重を係止部２３０に伝達することができる。
【００３０】
第三、ファスナーの間の上下位置調節と風荷重を伝達するために、容易に押圧できるアルミニウム材料で作られたスライディング溝（図１３の４ａ）なしに、スチール材料で第二で言及した機能と効果を得ることができるようにして、製作コストを低減することを本発明の目的とする。
【００３１】
言い換えれば、従来のカーテンウォール方式は、図１３のように、固定荷重の伝達及び高さ調節のためのレベルボルト５ａと風荷重を伝達するためのスライディング溝４ａが形成されているファスナーが必要となり、その溝を有するファスナーはスチールで製作することが不可能で、容易に押圧できるアルミニウムで製作した。しかし、本発明品である可変型ファスナーは上下方向へ容易に位置調節ができると同時に固定荷重及び風荷重を伝達することができるように、ファスナーを単純化してスチールでも製作することができて、製作コストを低減することができるという長所がある。
【００３２】
第四、カーテンウォールからスラブに伝達される風荷重の流れで、連結部分の間の偏差を最小化して、最少の部材で最大の構造的効果を得ることができる。部材の安全性と部材の軽量化を同時に満足させて、施工性を高めて、材料費を節減することができる。
【００３３】
言い換えれば、図３及び図８に示すように、スラブＳの底から風荷重に対する係止部２３０と支持部１２０の連結部の高さの差が最小化されて、スラブＳの上にあるベース部１１０に伝達される風荷重モーメントを最小化することができて、部材の軽量化を図ることができる。
【００３４】
第五、カーテンウォールユニットまたは垂直部材に第２ブラケット２００を工場で予め定着し、施工現場では、第１ブラケット１００に単純にかけて前後左右及び上下方向の位置を調節する方法で、溶接ではない単純なボルトの組み立てでカーテンウォールユニットをスラブに堅固に固定させることができる新しい概念のファスナーを提供して、現場工程を単純化させ、品質を向上させることができる。
【００３５】
言い換えれば、現場で別途の溶接作業が必要なく、単純な結合とボルト締結のみで全ての作業が完了されることができて、品質の向上はもちろん、現場工程の単純化による工期の短縮、作業環境の改善及び作業者の事故も防止することができる。
【００３６】
第六、ファスナーを構成する部材の高さを低めて、床仕上げ面が低い現場やファンコイルボックスのない現場でも使用が容易である。
【００３７】
言い換えれば、固定荷重と風荷重を伝達する第１ブラケット１００の支持部１２０の高さを最小化し、高さ調節用ネジ棒が第２ブラケット２００の上部ではない第２ブラケット２００の固定部２１０の一側の第２ブラケット２００の高さが低くなるので、床仕上げ面が低い現場やファンコイルボックスのない現場に適用することが有利であるという長所がある。
【図面の簡単な説明】
【００３８】
【図１】本発明の第１実施例の分解斜視図である。
【図２】本発明の第１実施例の平面構造を示す図である。
【図３】本発明の第１実施例の側面構造を示す図である。
【図４】本発明の第２実施例の結合が完了された斜視図である。
【図５】（ａ）は第１実施例の係止部２３０の形状を示す図であり、（ｂ）は第２実施例の係止部２３０の形状を示す図である。
【図６】本発明の第３実施例の分解斜視図である。
【図７】本発明の第３実施例の平面構造を示す図である。
【図８】本発明の第３実施例の側面構造を示す図である。
【図９】本発明の第４実施例の結合が完了された斜視図である。
【図１０】（ａ）は第３実施例の固定部２１０の形状を示す図であり、（ｂ）は第４実施例の固定部２１０の形状を示す図である。
【図１１】垂直部材１０を支持する２つの係止部２３０の中の何れか一つが支持部１２０に備えられたストッパ１２２によって左右移動が制限される場合を示す図であり、（ａ）は支持部１２０の上部面に所定間隔で形成された凹凸部がストッパ１２２の役割を果たし、（ｂ）は係止部２３０の両側面に接するように支持部１２０に締結されるボルトがストッパ１２２の役割を果たし、（ｃ）は係止部２３０の両側面に接するように支持部１２０に挿入されるピンがストッパ１２２の役割を果たす。
【図１２】垂直部材１０を支持する２つの係止部２３０の中の何れか一つが支持部１２０に備えられたストッパ１２２によって左右移動が制限される場合を示す図であり、（ａ）は支持部１２０の外周面に沿って所定間隔で形成された凹凸部がストッパ１２２の役割を果たし、（ｂ）は支持部１２０の外周面に形成されたネジ山に締結されて、係止部２３０の両側面に密着されるナットがストッパ１２２の役割を果たし、（ｃ）は係止部２３０の両側面に接するように支持部１２０に挿入されるピンがストッパ１２２の役割を果たす。
【図１３】従来技術の問題点を示す図である。
【図１４】また他の従来技術の問題点を示す図である。
【発明を実施するための形態】
【００３９】
以下では、本発明の具体的な実施例を添付された図面を参照してより詳しく説明する。
【００４０】
＜第１実施例＞
図１は本発明の第１実施例の分解斜視図であり、図２は本発明の第１実施例の平面構造を示し、図３は本発明の第１実施例の側面構造を示す。
【００４１】
第１実施例は、図１に示すように、スラブＳの端部に固定される第１ブラケット１００及びカーテンウォールユニットの垂直部材１０に一側が結合され、第１ブラケット１００に他側が結合されてカーテンウォールユニットの荷重をスラブＳに伝達する第２ブラケット２００で構成される。
【００４２】
第１ブラケット１００はスラブＳの端部に固定され、第１ブラケット１００はスラブＳの端部に固定される平板状のベース部１１０及びベース部１１０の前方端部に上記ベース部１１０の上部面より高く形成された支持部１２０で構成される。
【００４３】
ベース部１１０は、図１または図２に示すように、四角形平板状を呈している。ベース部１１０の形態は必ず図示された形態に限定される必要がなく、スラブＳの端部の形態や周辺条件を考慮して、多様な形態に変形が可能である。ベース部１１０にはスラブＳの端部に向かって長く延長されたアンカー用長孔１１１が形成されるが、アンカー用長孔１１１の数量、大きさ、及び配列間隔はベース部１１０に作用する荷重によって決められる。
【００４４】
支持部１２０はベース部１１０の前方端部にベース部１１０の上部面より高く形成される。
【００４５】
第１実施例の場合、支持部１２０は矩形断面の棒状であり、ベース部１１０の上部面と段差を形成するように上部に突出される。このような支持部１２０は別途の部材をベース部１１０の前方端部に溶接またはボルト結合などの方法で接合することもでき、一つの部材をミーリング加工して製作することもできる。
【００４６】
このような第１ブラケット１００をスラブＳの端部に装着するためには、まず図１または図３に示すように、建物のスラブＳの縁にＣ形溝２１が形成されたアンカーバー２０を埋め立てて定着しなければならない。
【００４７】
アンカーバー２０のＣ形溝２１内にはアンカーボルト３０を設置し、第１ブラケット１００のベース部１１０に形成されたアンカー用長孔１１１にアンカーボルト３０のネジ部を貫通させた後、四角ワッシャー４０とナットを締結して固定する。
【００４８】
このような四角ワッシャー４０の下部面には、アンカー用長孔１１１の周辺部に形成された凹凸部１１２に対応する形態の凹凸部が形成されており、第１ブラケット１００の最終位置を決めた後ナット締結（締め付け）が完了されると、前後方向のスライディングが防止されて安定的に固定されることができる。
【００４９】
第２ブラケット２００は固定部２１０、高さ調節ネジ棒２２０、係止部２３０及び高さ調節ナット２４０で構成される。
【００５０】
固定部２１０はカーテンウォールユニットの垂直部材１０に溶接またはボルト結合などの方法で固定される部材である。一般的に平板状に製作されるが、必ずこのような形態に限定される必要はなく、垂直部材１０に結合されることができる構造として、高さ調節ネジ棒２２０を一側端部に具備することができれば、多様な形態の設計変更が可能である。このような固定部２１０の具体的形状は、図１〜図３に示された形態、または図５（ａ）に示された形態に限定されるのではなく、垂直部材１０の形態や周辺要素を考慮して多様な形態に変形することができる。
【００５１】
固定部２１０の一側端部（第１ブラケット１００に向かう方向）には、高さ調節ネジ棒２２０が垂直方向に結合固定される。即ち、固定部２１０の一側端部の上下端でそれぞれ第１ブラケット１００に向けて水平方向に突出された部位に高さ調節ネジ棒２２０の上下端が溶接やボルト結合などの方法で固定される。
【００５２】
係止部２３０は、図３及び図５（ａ）に示すように、高さ調節ネジ棒２２０に水平方向回動及び昇降スライディングが可能に結合される。即ち、係止部２３０の一側端部は高さ調節ネジ棒２２０にネジ締結されるのではなく、単純に挿入されて、水平方向に回動可能であることはもちろん、垂直方向に昇降スライディング可能に結合される。
【００５３】
係止部２３０の他側は支持部１２０に装着される。係止部２３０の他側下端部には支持部１２０を収容するように支持部１２０の断面形態に対応する形態の支持部収容溝２３１が備えられて図３に示されたような形態に装着される。
【００５４】
必要に応じて、支持部１２０やベース部１１０と干渉が発生されないように係止部２３０の角部に面取りをして、現場で設置する際の便利さを図ることもできる。高さ調節ナット２４０は、図３及び図５（ａ）に示すように、高さ調節ネジ棒２２０に締結されて、係止部２３０の一側端部を押す役割を果たす。即ち、カーテンウォールユニットの垂直部材１０に結合された係止部２３０の他側下端部に備えられた支持部収容溝２３１を支持部１２０に装着させた後、高さ調節ナット２４０を回して係止部２３０の一側端部を押せば、係止部２３０の他側下端部に備えられた支持部収容溝２３１に支持部１２０が収容された状態で密着固定される。
【００５５】
カーテンウォールユニットは垂直部材１０と水平部材が組み立てられて、格子形状のフレームを形成し、そのフレームの前面にアルミニウム板または硝子板などのパネル材が附着される。添付された図面に示すように、垂直部材１０は左右が合体される場合もあり、添付された図面には別途に図示しないが、一つの本体に構成されるものが使われることもできる。
【００５６】
左右が合体される垂直部材１０の場合、固定部２１０を固定ボルト５０で結合するために、図１または図２に示すように、垂直部材１０の内部に別途の補強部材６０を備えることもできる。
【００５７】
第１実施例による施工過程は次の通りである。
【００５８】
（１）第１ブラケット１００を前後左右位置を調節した後、アンカーバー２０に挿入されたアンカーボルト３０で第１ブラケット１００を一時的に固定した後、第２ブラケット２００が結合されたカーテンウォールユニットを設置位置に持ち上げる。
【００５９】
（２）第１ブラケット１００の支持部１２０にカーテンウォールユニットに結合された第２ブラケット２００の係止部２３０にある支持部収容溝２３１を嵌めこむ。
【００６０】
（３）最終的に、建物構造体の形状、施工及び変形による誤差などを考慮したカーテンウォールユニットの最終位置を決める。アンカーバー２０のＣ形溝２１内にあるアンカーボルト３０と第１ブラケット１００をＣ形溝２１に沿って左右に移動させながら左右位置を調節し、第１ブラケット１００のアンカー用長孔１１１内にあるアンカーバー２０のＣ形溝２１に挿入されたアンカーボルト３０を中心に第１ブラケット１００を前後に移動させながら前後方向の位置を調節し、第２ブラケット２００のネジ棒２２０に設置された高さ調節ナット２４０を回転させながら上下方向の位置を調節して、最終位置を決める。特に、固定部２１０が連結されたネジ棒２２０に係止部２３０の一側が回動可能に結合されていて、カーテンウォールユニットの水平方向の回動が可能である。従って、曲線平面形態のスラブＳの端部にもカーテンウォールユニットを容易に設置することができる。
【００６１】
（４）カーテンウォールユニットの最終位置が決められると、アンカーボルト３０を完全に締結して、四角ワッシャー４０とベース部１１０の凹凸部１１２が完全に密着されるように堅固に固定すれば良い。
【００６２】
＜第２実施例＞
第２実施例は、図４に示すように、支持部１２０の形状と係止部２３０の他側下端部に備えられた支持部収容溝２３１の形状とを除いた他の構造は同一である。第２実施例の場合、第１ブラケット１００の支持部１２０は円形断面の棒状で、装着部材１２１によってベース部１１０の上部面から離隔されるように設置される。
【００６３】
同時に、支持部収容溝２３１の形状も図５（ｂ）に示すようにの円弧の３／４の形状の断面部を有する。このように、円形棒状の支持部に円弧断面の支持部収容溝２３１が装着される構造になって、係止部２３０が垂直状態で所定角度に傾斜した状態でも係止部２３０が支持部１２０に安定的に結合されることができる。従って、カーテンウォールユニットの垂直部材１０が直線形態ではない曲線形態の場合にも容易に適用することができる。
【００６４】
＜第３実施例＞
第３実施例は、図６〜図８に示すように、第１実施例と第１ブラケット１００の構造は同一であり、ただ第２ブラケット２００の一部の構造が相異するだけである。
【００６５】
第３実施例の第２ブラケット２００は固定部２１０、高さ調節ネジ棒２２０、係止部２３０及び高さ調節ナット２４０で構成される。
【００６６】
固定部２１０はカーテンウォールユニットの垂直部材１０に溶接またはボルト結合などの方法で固定される部材である。このような固定部２１０の具体的な形状は、図６〜図８に示された形態、または図１０（ａ）に示された形態に限定されるのではなく、垂直部材１０の形態や周辺要素を考慮して多様な形態に変形可能である。
【００６７】
高さ調節ネジ棒２２０は一般的なボルトと類似する形態で、第１ブラケット１００を向ける固定部２１０の一側端部に沿って垂直方向に結合されて、水平方向に回動可能である。即ち、固定部２１０の一側端部の上下端には、それぞれ図１０（ａ）に示すように、高さ調節ネジ棒２２０が通過するネジ棒支持部２１１が備えられており、高さ調節ネジ棒２２０がネジ棒支持部２１１に水平方向に回動可能に結合される。
【００６８】
言い換えれば、高さ調節ネジ棒２２０がネジ棒支持部２１１にネジ締結されるのではなく、単純にネジ棒支持部２１１を貫通して通過するのである。
【００６９】
係止部２３０の一側は高さ調節ネジ棒２２０にネジ締結され、高さ調節ナット２４０はネジ棒支持部２１１を通過した高さ調節ネジ棒２２０の上端部に固定されて、高さ調節ネジ棒２２０と一緒に一体に回動しながら係止部２３０の高さを調節する。高さ調節ナット２４０はネジ棒支持部２１１の上部に位置して、高さ調節ネジ棒２２０の離脱を防止する役割を果たす。
【００７０】
場合によっては、高さ調節ネジ棒２２０の頭部が上部に位置し、高さ調節ナット２４０が下部に位置するようにしてもよいが、このような場合には、高さ調節ネジ棒２２０の頭部が高さ調節ナット２４０の役割を代替することもできる。
【００７１】
係止部２３０の他側は支持部１２０の上部に装着される。第１ブラケット１００の支持部１２０は、第１実施例の場合と同様に、矩形断面の棒状であり、ベース部１１０の上部面と段差を有している。
【００７２】
係止部２３０の他側下端部にはこのような支持部１２０を収容するように支持部１２０の断面形態に対応する形態の支持部収容溝２３１が備えられる。
【００７３】
支持部収容溝２３１に支持部１２０が収容された状態で高さ調節ナット２４０を回すと、これと連動して高さ調節ネジ棒２２０が一緒に回転する。係止部２３０の一側端部が高さ調節ネジ棒２２０にネジ締結されているので、高さ調節ネジ棒２２０の回転によって係止部２３０の高さが調節される。それは、係止部２３０の他側下端部が支持部１２０と結合されて回動が制限されるからである。
【００７４】
従って、係止部２３０が下降する方向へ高さ調節ナット２４０を回すと、係止部２３０と支持部１２０の結束力が強化されて、カーテンウォールユニットをスラブＳに堅固に固定させることができる。
【００７５】
また、係止部２３０が高さ調節ネジ棒２２０にネジ締結された状態でも左右方向に角度調節が可能であり、曲線平面形態のスラブＳの端部にもカーテンウォールユニットを容易に設置することができる。
【００７６】
＜第４実施例＞
第４実施例は、図９に示すように、支持部１２０の形状と係止部２３０の他側下端部に備えられた支持部収容溝２３１の形状を除いた他の構造は第３実施例の場合と同じである。
【００７７】
第４実施例の場合、第１ブラケット１００の支持部１２０は、円形断面の棒状で、装着部材１２１によってベース部１１０の上部面で離隔されるように設置される。同時に、支持部収容溝２３１の形状も図１０（ｂ）に示すように円弧状の断面部を有する。このように、円形棒状の支持部に円弧断面の支持部収容溝２３１が装着される構造になって、係止部２３０が垂直状態で所定角度に傾斜された状態でも係止部２３０が支持部１２０に安定的に結合されることができる。従って、カーテンウォールユニット垂直部材１０が直線形態ではない曲線形態の場合にも容易に適用することができる。
【００７８】
上記したように、本発明の具体的な実施例を添付図面を参照して説明したが、本発明の保護範囲が必ずしもこのような実施例のみに限定されるのではなく、本発明の技術的要旨を変更しない範囲内で多様な設計変更、公知技術の付加や削除、単純な数値限定などの場合にも本発明の保護範囲に属するとすべきである。
【図１】
0005901615.tif 000002
【図２】
0005901615.tif 000003
【図３】
0005901615.tif 000004
【図４】
0005901615.tif 000005
【図５】
0005901615.tif 000006
【図６】
0005901615.tif 000007
【図７】
0005901615.tif 000008
【図８】
0005901615.tif 000009
【図９】
0005901615.tif 000010
【図１０】
0005901615.tif 000011
【図１１】
0005901615.tif 000012
【図１２】
0005901615.tif 000013
【図１３】
0005901615.tif 000014
【図１４】
0005901615.tif 000015